(57)【要約】【課題】ファームウェア更新時のハードディスクドライブ交換作業は、まずページプリンタ制御装置の電源を落とし、古いハードディスクドライブを取り外して新しいハードディスクドライブを装着するという手順で実施していたので、更新前のファームウェア内の各種設定値等の固有情報が更新後のファームウェアに引き継がれないという問題があった。【解決手段】本発明は、ハードディスクドライブのインタフェースを、電源通電時でも取り外し可能なインタフェースにすると共に、ハードディスクドライブの給電制御回路を設けたことを特徴とする。【選択図】　図１
2004034574.tif 000002
【特許請求の範囲】
【請求項１】
ファームウェア等を格納するためのハードディスクドライブを有するページプリンタ制御装置において、ハードディスクドライブのインタフェースを、電源通電時でも取り外し可能なインタフェースにすると共に、前記ハードディスクドライブの給電制御回路を設けたことを特徴とする、ページプリンタ制御装置のファームウェア更新機能。
【発明の詳細な説明】
【０００１】
【発明の属する技術分野】
本発明はページプリンタ制御装置のファームウェア更新機能に関するものである。
【０００２】
【従来の技術】
ページプリンタ制御装置において、自身を制御する為のファームウェアはＲＯＭ等の不揮発性メモリに格納されているものが多いが、高機能なページプリンタでファームウェアの規模が大きなもの等では、ファームウェアの格納及びその他フォントの格納等の目的でハードディスクドライブを有するものがある。このようなページプリンタ制御装置において、ファームウェアのバージョンアップ等の理由でファームウェアの更新作業を実施する場合、都合によりハードディスクドライブの交換を伴う場合がある。例えばハードディスクドライブ内の特定領域の拡大等を伴うファームウェア更新等がそれにあたり、このような場合は通常、あらかじめ更新済みのファームウェアを格納した新しいハードディスクドライブを準備し、更新対象となるハードディスクドライブと交換することによってファームウェア更新を実施する。
【０００３】
【発明が解決しようとする課題】
従来のページプリンタ制御装置では、このファームウェア更新時のハードディスクドライブ交換作業は、まずページプリンタ制御装置の電源を落とし、古いハードディスクドライブを取り外して新しいハードディスクドライブを装着する、という手順で実施していた。
【０００４】
ここで問題となっていたのは、上記作業時において、更新前のファームウェア内の各種設定値等の固有情報が更新後のファームウェアに引き継がれないということであった。なぜならファームウェア内の各種設定値等の固有情報はハードディスクドライブ内に保存されており、その固有情報が保存されているハードディスクドライブを交換してしまうからである。
【０００５】
その為、従来のページプリンタ制御装置においては、ハードディスクドライブ交換作業時に上記の各種設定値の再設定およびその為の再調整作業等が発生していた。例えば設定値の一つとして印刷位置補正値がある場合、ファームウェア更新前と印刷位置が同位置になるように、ファームウェア更新後に印刷位置を再調整する必要があった。このため、結果としてファームウェア更新作業に時間が掛かっていた。
【０００６】
本発明はページプリンタ制御装置のファームウェア更新機能において、上記問題を克服することで、ファームウェア更新作業時間を短縮することを課題とする。
【０００７】
【課題を解決するための手段】
上記課題は、ハードディスクドライブのインタフェースを、電源通電時でも取り外し可能なインタフェースにすると共に、前記ハードディスクドライブの給電制御回路を設け、これらを適切に制御してファームウェア更新作業を実施することにより解決される。
【０００８】
【発明の実施の形態】
以下図を用いて本発明の一実施例を説明する。図１において、１はページプリンタ制御装置、２は制御部、３はハードディスクドライブ、４はハードディスクドライブインタフェース、５はハードディスクドライブ給電制御回路、６は電源装置、７は操作パネルである。
【０００９】
制御部２とハードディスクドライブ３はハードディスクドライブインタフェース４を介して接続されている。このハードディスクドライブインタフェース４は、制御部２が通電状態でもハードディスクドライブ３を取り外し可能とするため、本実施例ではＩＥＥＥ１３９４インタフェースを使用している。ハードディスクドライブ給電制御回路５は制御部２からの制御信号により、電源装置６からハードディスクドライブ３への給電を制御する。
【００１０】
以下にファームウェアの更新手順を説明する。まず操作パネル７より制御部２に対してファームウェア更新の指示を実行する。具体的に本実施例の場合は、操作パネル７を操作し、ページプリンタ制御装置１を「ファームウェア更新モード」に移行させる。
【００１１】
ページプリンタ制御装置１が「ファームウェア更新モード」になると、まず制御部２がハードディスクドライブインタフェース４の動作を停止（非活性化）し、さらにハードディスクドライブ給電制御回路５への制御信号を操作することで、ハードディスクドライブ３への給電を停止する。この時制御部２ならびに操作パネル７は通電状態で、制御部２内部ではメモリ上でファームウェアが動作を続けており、各種設定値等の固有情報もメモリ上で有効となったままである。この時点で操作パネル７には、ハードディスクドライブ３の交換を促すメッセージが表示される。
【００１２】
ここでハードディスクドライブ３を取り外し、更新後のファームウェアが格納済みである新しいハードディスクドライブ３を取り付ける。取り付けが完了したならば操作パネル７を操作することで、その旨が制御部２に通知される。制御部２はハードディスクドライブ３の交換が終了したことを認識すると、まずハードディスクドライブ給電制御回路５への制御信号を操作し、ハードディスクドライブ３への給電を再開する。そして停止していたハードディスクドライブインタフェース４の動作を再開（活性化）し、新しいハードディスクドライブ３を動作可能とさせる。
【００１３】
新しいハードディスクドライブ３が動作可能となったところで、制御部２は現在メモリ上で保持している各種設定値等の固有情報を新しいハードディスクドライブ３内の適切な場所に書き込み、保存する。以上で更新後のファームウェアへの各種設定値等の固有情報の引き継ぎが完了するので、制御部２はファームウェア更新が完了した旨操作パネル７上にメッセージを表示する。最後に、この時点で制御部２で動作しているのはまだ更新前のファームウェアであるので、新しいファームウェアで動作させるために、操作パネル７上にページプリンタ制御装置１の電源断／再投入を促すメッセージを表示し、それに従いページプリンタ制御装置１の電源断／再投入を実行することで、ファームウェアの更新作業が完了する。
【００１４】
【発明の効果】
以上のように本発明によれば、ファームウェア更新時のハードディスクドライブ交換作業において、ページプリンタ制御装置の電源を落とさずに、ファームウェアが現在の各種設定値等の固有情報を保持したままの状態でハードディスクドライブ交換作業を実施することで、従来のファームウェア更新作業時に必要であった各種設定値等の固有情報の再設定やそれに伴う再調整等を無くすことが出来、作業時間の短縮を図ることができる。
【図面の簡単な説明】
【図１】本発明の一実施例を示すブロック図である。
【符号の説明】
１はページプリンタ制御装置、２は制御部、３はハードディスクドライブ、４はハードディスクドライブインタフェース、５はハードディスクドライブ給電制御回路、６は電源装置、７は操作パネルである。
【図１】
2004034574.tif 000003